(57)【要約】      （修正有）【課題】電子デバイスのためのエンクロージャを提供する。【解決手段】エンクロージャ１０２は、損傷を防止し、エンクロージャ全体にわたり振動を散逸させるべく構造支持を改善するように構成されたリブ構造体１４２を含む。リブ構造体１４２はスピーカモジュール及びキャップ部材１４６を受容することができる。リブ構造体１４２及びスピーカモジュールは組み合わさって、内部でスピーカモジュールが音声を放出し得る、スピーカモジュールを受け入れる３次元容積を形成することができ、これにより、音響性能を向上させる。また、キャップ部材１４６は、落下事象に関連付けられる荷重力によって生じる振動及び酷使に対する追加の構造支持を提供するために、リブ構造体１４２に接着によって付着されてもよい。【選択図】図４
0003213038.tif 000002
【実用新案登録請求の範囲】
【請求項１】
電子デバイスのためのエンクロージャであって、
前記エンクロージャの後部から延在するリブ構造体を備え、前記リブ構造体は、
前記エンクロージャの側壁と係合した第１の部分であって、前記第１の部分は、音声デバイスを受容して支持するように適合された第１のフランジ部材を備える、第１の部分と、
前記第１の部分と異なる第２の部分であって、前記第２の部分は、キャップ部材を受容して支持するように適合された第２のフランジ部材を備え、前記キャップ部材は前記第２の部分と組み合わさって、前記音声デバイスから放射される可聴音を強めるための前記音声デバイスための背室容積を画定する、第２の部分と、を備える、エンクロージャ。
【請求項２】
前記第１の部分内のアンダーパスを更に備え、前記アンダーパスは、前記可聴音を伝えるのに適した前記第１の部分と前記第２の部分との間の音響経路を画定する、請求項１に記載のエンクロージャ。
【請求項３】
前記キャップ部材が、共振周波数を低減するために、前記可聴音に関連付けられるエネルギーの一部を吸収するように構成された複数の突起を備える、請求項２に記載のエンクロージャ。
【請求項４】
前記キャップ部材が、前記背室容積内の安定した圧力を維持するための通気孔を備える、請求項３に記載のエンクロージャ。
【請求項５】
前記第１の部分及び前記第２の部分が前記後部と一体的に形成されている、請求項１から３のいずれか一項に記載のエンクロージャ。
【請求項６】
前記音声デバイスが前記第１のフランジ部材に接着固定されており、
前記キャップ部材が前記第２のフランジ部材に接着固定され、音響シールを形成している、請求項５に記載のエンクロージャ。
【請求項７】
前記キャップ部材が、いくつかの繊維を含む複合材料を備える、請求項１から３のいずれか一項に記載のエンクロージャ。
【請求項８】
前記第１の部分から側壁まで延在するリブ部分であって、前記リブ部分は前記後部における前記エンクロージャの曲げ及びねじりに抵抗するように構成されている、リブ部分を更に備える、請求項７に記載のエンクロージャ。
【請求項９】
前記エンクロージャの前記後部に沿って延在する第２のリブ構造体を画定する第２の複数のリブを更に備え、前記第２の複数のリブは、
前記エンクロージャの前記側壁と係合した第３の部分であって、前記第３の部分は第２の音声デバイスを受容する、第３の部分と、
前記第３の部分と異なる第４の部分であって、前記第４の部分は第２のキャップ部材を受容する、第４の部分と、を備え、前記第２の複数のリブは第２のリブを含み、
前記第２のリブは前記第３の部分及び前記第４の部分によって共有され、
前記第２の複数のリブ、前記第２の音声デバイス、及び前記第２のキャップ部材は組み合わさって第２の音響シールを形成し、前記第２のキャップ部材は前記キャップ部材と異なり、
前記音声デバイス及び前記第２の音声デバイスは実質的に同様の音圧レベルで音声を放射する、請求項６に記載のエンクロージャ。
【請求項１０】
電子デバイスのためのエンクロージャであって、
前記エンクロージャの外周部分の周りに一体的に形成された複数の側壁であって、前記複数の側壁は、第１のアパーチャ及び第２のアパーチャを有する第１の側壁を備える、複数の側壁と、
前記エンクロージャの後部上に一体的に形成され、第１の部分及び第２の部分を画定する第１の複数のリブであって、前記第１の部分は、前記第１の部分内に位置付けられた第１のフランジ部材上に第１の構成要素を受容するように適合され、前記第２の部分は、前記第２の部分内に位置付けられた第２のフランジ部材上に第２の構成要素を受容するように適合されている、第１の複数のリブと、
前記第１の複数のリブと異なる第２の複数のリブであって、前記第２の複数のリブは前記エンクロージャの前記後部上に一体的に形成され、第３の部分及び第４の部分を画定し、前記第３の部分は、前記第３の部分内に位置付けられた第３のフランジ部材上に第３の構成要素を受容するように適合され、前記第４の部分は、前記第４の部分内に位置付けられた第４のフランジ部材上に第４の構成要素を受容するように適合されている、第２の複数のリブと、
を備え、
前記第１の複数のリブ及び前記第２の複数のリブは両方とも前記第１の側壁と係合し、
前記第１のアパーチャは前記第１の部分内へ開き、
前記第２のアパーチャは前記第３の部分内へ開く、エンクロージャ。
【請求項１１】
前記第２の構成要素、及び前記第２の構成要素の突起が前記後部に接着固定されている、請求項１０に記載のエンクロージャ。
【請求項１２】
前記第１の複数のリブ内の第１のアンダーパスであって、前記第１のアンダーパスは前記第１の部分及び前記第２の部分へ開く、第１のアンダーパスを更に備える、請求項１０に記載のエンクロージャ。
【請求項１３】
前記第１の構成要素は、前記第１のアパーチャ及び前記第１のアンダーパスを通して音声を放射する音声デバイスである、請求項１２に記載のエンクロージャ。
【請求項１４】
前記第１の複数のリブ、前記第１の側壁、及び前記後部と一体的に形成された第３のリブ部分を更に備える、請求項１０から１３のいずれか一項に記載のエンクロージャ。
【請求項１５】
電子デバイスのエンクロージャを形成するための方法であって、
アルミニウム基板の一部分を除去し、複数の側壁を形成することであって、前記複数の側壁は第１の側壁を有する、ことと、
前記複数の側壁の一部分を除去し、カバーガラスを受容するロケーションを画定することと、
前記アルミニウム基板の一部分を除去し、第１のリブ及び第２のリブを有するリブ構造体を画定することであって、前記第１のリブ及び第２のリブは、音声デバイス及びキャップ部材を受容するように適合され、前記第１のリブ及び前記第２のリブは両方とも前記第１の側壁と係合している、ことと、
前記第１の側壁内の第１のアパーチャを除去することであって、前記第１のアパーチャは前記第１のリブと前記第２のリブとの間のロケーション内へ開く、ことと、を含む方法。
【請求項１６】
前記第１のリブの一部分を除去し、フランジ部材を画定すること更に含み、前記キャップ部材が、接着剤を用いて前記フランジ部材に接着固定される、請求項１５に記載の方法。
【請求項１７】
前記第１のリブの一部分を除去し、アンダーパスを画定することを更に含む、請求項１６に記載の方法。
【請求項１８】
前記リブ構造体及び前記キャップ部材が前記音声デバイスのための音響シールを形成する、請求項１５に記載の方法。
【請求項１９】
前記アルミニウム基板の一部分を除去し、前記第１の側壁及び少なくとも前記第２のリブと一体的に形成された第３のリブを形成することであって、前記第３のリブは前記音声デバイス及び前記キャップ部材と接触しない、ことを更に含む、請求項１５から１８のいずれか一項に記載の方法。
【請求項２０】
前記第１のアパーチャが、前記音声デバイスからの音声が前記エンクロージャを脱出することを可能にする、請求項１９に記載の方法。
【請求項２１】
タブレットコンピューティングデバイスでの使用に適したエンクロージャであって、
音声励振器及びキャップ部材を受容するために位置付けられたリブ構造体のセットによって画定された音響チャンバであって、前記リブ構造体及び前記キャップ部材は音響シールを形成し、前記音声励振器のための背室容積を形成する、音響チャンバと、
前記リブ構造体に近接したスピーカグリルを含む側壁であって、前記スピーカグリルは、前記音声励振器からのオーディオ音声の放出を可能にするように構成されている、側壁と、を備えるエンクロージャ。
【請求項２２】
第２の音声励振器及び第２のキャップ部材を受容するために位置付けられたリブ構造体の第２のセットによって画定された第２の音響チャンバを更に備え、リブ構造体の前記セットが第１の形状を画定し、リブ構造体の前記第２のセットが、前記第１の形状と異なる第２の形状を画定する、請求項２１に記載のエンクロージャ。
【請求項２３】
リブ構造体の前記セットが前記側壁と係合している、請求項２２に記載のエンクロージャ。
【請求項２４】
第１のスピーカグリル及び第２のスピーカグリルを更に備え、リブ構造体の前記セットが前記第１のスピーカグリルを包囲し、リブ構造体の前記第２のセットが前記第２のスピーカグリルを包囲する、請求項２３に記載のエンクロージャ。
【請求項２５】
後部を更に備え、リブ構造体の前記セット及びリブ構造体の前記第２のセットが前記後部と一体的に形成されている、請求項２４に記載のエンクロージャ。
【請求項２６】
リブ構造体の前記セット内に配置された隆起部であって、前記隆起部は、前記キャップ部材が前記隆起部に固定することを可能にする高さを有する、隆起部を更に備える、請求項２１から２５のいずれか一項に記載のエンクロージャ。
【請求項２７】
リブ構造体の前記セット内に配置され、リブ構造体の前記セットから分離されているリブを更に備える、請求項２１から２５のいずれか一項に記載のエンクロージャ。
【請求項２８】
電子デバイスであって、
金属から形成され、後部を有するエンクロージャと、
前記後部と一体的に形成されたいくつかのリブ構造体と、
前記いくつかのリブ構造体に沿って延在するフランジ部材と、
前記いくつかのリブ構造体内に配置され、前記フランジ部材に接着固定されている音声励振器と、
前記音声励振器のための音響シールを画定するべく前記音声励振器のための背室容積を形成する手段と、を備える電子デバイス。
【請求項２９】
前記音声励振器のための前記背室容積を形成する前記手段が、前記いくつかのリブ構造体の上にキャップ部材を配置することを含む、請求項２８に記載の電子デバイス。
【請求項３０】
前記キャップ部材が、
繊維材料と、
前記エンクロージャに固定された複数の突起と、を備える、請求項２９に記載の電子デバイス。
【請求項３１】
前記キャップ部材が、空気が前記背室容積から出ること、又はそこへ入ることを可能にする通気孔を備える、請求項２９に記載の電子デバイス。
【請求項３２】
前記エンクロージャが、前記キャップ部材に固定された複数の隆起部を含む、請求項３０に記載の電子デバイス。
【請求項３３】
前記エンクロージャが、前記キャップ部材に固定された複数の隆起部を含む、請求項２９に記載の電子デバイス。
【請求項３４】
側壁と、
前記いくつかのリブ構造体及び前記側壁に固定されたリブ部分であって、前記リブ部分は前記エンクロージャのための支持構造体を画定する、リブ部分と、を更に備える、請求項２８から３３のいずれか一項に記載の電子デバイス。
【請求項３５】
前記いくつかのリブ構造体が、前記音声励振器及び前記背室容積へ開くアンダーパスを備える、請求項２８から３３のいずれか一項に記載の電子デバイス。
【請求項３６】
電子デバイスのエンクロージャのための背室容積を形成するための方法であって、
前記エンクロージャの後部上に複数のリブ構造体を配置することであって、前記複数のリブ構造体はフランジ部材を備える、ことと、
前記複数のリブ構造体においてキャップ部材を受容することであって、前記キャップ部材は、前記後部に固定される突起を備える、ことと、
前記キャップ部材を前記フランジ部材に接着固定することと、を含む方法。
【請求項３７】
前記エンクロージャの前記後部上に前記複数のリブ構造体を配置することは、前記複数のリブ構造体を前記後部と一体的に形成することを含む、請求項３６に記載の方法。
【請求項３８】
前記複数のリブ構造体において前記キャップ部材を受容することは、前記キャップ部材を前記複数のリブ構造体に接着固定することを含む、請求項３７に記載の方法。
【請求項３９】
前記キャップ部材を前記複数のリブ構造体に接着固定することは、前記キャップ部材を前記複数のリブ構造体のフランジ部材に接着固定することを含む、請求項３８に記載の方法。
【請求項４０】
前記キャップ部材の前記突起を前記後部に接着固定することを更に含む、請求項３８に記載の方法。
【請求項４１】
前記複数のリブ構造体内にアンダーパスを形成することであって、前記アンダーパスは、前記背室容積を、前記複数のリブ構造体内に配置された音声励振器へ開くように構成されている、ことを更に含む、請求項３６から４０のいずれか一項に記載の方法。
【請求項４２】
前記キャップ部材内に開口部を形成し、空気が前記開口部を介して、前記背室容積へ、及び前記背室容積から広がることを可能にすることを更に含む、請求項３６から４０のいずれか一項に記載の方法。
【請求項４３】
電子デバイスであって、
音声励振器のための支持体を画定するリブ構造体のセットと、
リブ構造体のセットに接着固定され、前記音声励振器のための背室容積を画定するキャップ部材と、
リブ構造体の前記セットと前記キャップ部材との間に配置された補剛機構と、を備える電子デバイス。
【請求項４４】
アパーチャを有する側壁を更に備え、リブ構造体の前記セットが、前記音声励振器が前記アパーチャから可聴音を放射するように、前記側壁と整列している、請求項４３に記載の電子デバイス。
【請求項４５】
第２の音声励振器のための第２の支持体及び前記第２の音声励振器のための第２の背室容積を画定するリブ構造体の第２のセットと、
第２の複数の突起を有する第２のキャップ部材であって、前記キャップ部材は第１の形状を含み、前記第２のキャップ部材は、前記第１の形状と異なる第２の形状を含む、第２のキャップ部材と、を更に備える、請求項４３に記載の電子デバイス。
【請求項４６】
リブ構造体の前記第２のセットが、前記第２のキャップ部材及び前記第２の音声励振器を包囲するように位置付けられている、請求項４５に記載の前記電子デバイス。
【請求項４７】
第３の音声励振器のための第３の支持体及び前記第３の音声励振器のための第３の背室容積を画定するリブ構造体の第３のセットと、
第３の複数の突起を有する第３のキャップ部材であって、前記第３のキャップ部材は、前記第１の形状及び前記第２の形状と異なる第３の形状を含む、第３のキャップ部材と、を更に備える、請求項４５に記載の電子デバイス。
【請求項４８】
リブ構造体の前記セット、及び前記キャップ部材が前記音声励振器のための第１の背室容積を画定し、前記第１の背室容積は、前記音声励振器が、前記第２の音声励振器及び前記第３の音声励振器と一致した音量を含むことを可能にする、請求項４７に記載の電子デバイス。
【請求項４９】
前記音声励振器及び前記キャップ部材を受容するための複数のフランジ部材を更に備える、請求項４３から４８のいずれか一項に記載の電子デバイス。
【請求項５０】
前記補剛部材が音響発泡材を含む、請求項４３から４８のいずれか一項に記載の電子デバイス。
【請求項５１】
前記補剛部材が、電源、メモリデバイス、及びプロセッサから選択される動作構成要素を含む、請求項４３から４８のいずれか一項に記載の電子デバイス。
【請求項５２】
前記補剛部材が、リブ構造体の前記セットから分離したリブを含む、請求項４３から４８のいずれか一項に記載の電子デバイス。
【請求項５３】
電子デバイスでの使用に適したエンクロージャであって、
後部と、
前記後部と一体的に形成された側壁であって、前記側壁はスピーカグリルを有する、側壁と、
前記後部と一体的に形成され、前記側壁と係合した複数のリブ構造体であって、前記複数のリブ構造体は、音声励振器、及び前記複数のリブ構造体と組み合わさって前記音声励振器のための背室容積を形成するキャップ部材を受容するように構成された形状を画定し、前記複数のリブ構造体は、前記音声励振器を、前記スピーカグリルを介して前記側壁から可聴音を放射するように位置付けるように、前記後部上に更に位置付けられている、複数のリブ構造体と、を備えるエンクロージャ。
【請求項５４】
前記後部と一体的に形成され、前記側壁と係合した第２の複数のリブ構造体と、
前記後部と一体的に形成され、第２の側壁と係合した第３の複数のリブ構造体と、
前記後部と一体的に形成され、前記第２の側壁と係合した第４の複数のリブ構造体と、を更に備える、請求項５３に記載のエンクロージャ。
【請求項５５】
前記複数のリブ構造体から前記側壁まで延在する第１のリブ部分と、
前記第２の複数のリブ構造体から前記側壁まで延在する第２のリブ部分と、を更に備え、前記第１のリブ部分及び前記第２のリブ部分が組み合わさって前記側壁のための支持体を画定する、請求項５４に記載のエンクロージャ。
【請求項５６】
前記複数のリブ構造体が、第１のキャップ部材を受容するための第１の形状を含み、
前記第２の複数のリブ構造体が、第２のキャップ部材を受容するための第２の形状を含み、前記第２の形状は前記第１の形状と異なり、
前記第３の複数のリブ構造体が、第３のキャップ部材を受容するための第３の形状を含み、前記第３の形状は前記第１の形状及び前記第２の形状と異なる、請求項５４に記載のエンクロージャ。
【請求項５７】
前記複数のリブ構造体、前記第２の複数のリブ構造体、及び前記第３の複数のリブ構造体のうちの少なくともいずれか１つが、前記後部から延在する複数の隆起部を備える、請求項５４から５６のいずれか一項に記載のエンクロージャ。
【請求項５８】
前記複数のリブ構造体、前記第２の複数のリブ構造体、及び前記第３の複数のリブ構造体のうちの少なくともいずれか１つが、第１のフランジ部材及び第２のフランジ部材を含む複数のフランジ部材を備える、請求項５４から５６のいずれか一項に記載のエンクロージャ。
【請求項５９】
前記後部、前記側壁、及び前記複数のリブ構造体がアルミニウムを含む、請求項５３に記載のエンクロージャ。
【考案の詳細な説明】
【技術分野】
【０００１】
本記載の実施形態群は概して電子デバイスのエンクロージャに関する。詳細には、本実施形態群は、エンクロージャの強度及び剛性を向上させるとともに、音響の向上をもたらす構造的特徴に関する。
【背景技術】
【０００２】
エンクロージャは電子デバイスのための構造支持を提供する。概して、エンクロージャは、内部構成要素（例えば、プロセッサ）及び外部構成要素（例えば、カバーガラス）への損傷を防ぐために、堅い材料で作製される。構成要素への損傷は、デバイスを落とすことなどの、いくつかの事象から生じ得る。比較的大きな電子デバイスの構造剛性を維持するために、エンクロージャは、より大きな厚さを有するように形成されてもよい。
【０００３】
しかし、より大きな厚さを有するエンクロージャでは、構成要素のために与えられる内部空間が小さくなり得る。更に、追加の厚さは、電子デバイスのコストを増大させ得る追加の材料に相当する。追加の厚さはまた、デバイスの追加の重量に相当し、一般的に望ましくないが、特に、ポータブル電子デバイスでは望ましくない。他方で、比較的薄いエンクロージャを有する電子デバイスは、ユーザに薄っぺらく感じられ、構造支持の低下及び損傷に対する抵抗の低下をもたらす場合がある。更に、電子デバイス内のスピーカモジュールは、エンクロージャの材料の共振周波数に等しい周波数で音声を放出し、エンクロージャ全体にわたって望ましくない振動を生じさせる場合がある。
【考案の概要】
【０００４】
一態様では、電子デバイスのためのエンクロージャが記載される。エンクロージャは、エンクロージャの後部に沿って延在するリブ構造体を画定する複数のリブを含んでもよい。いくつかの実施形態では、複数のリブは、エンクロージャの側壁と係合した第１の部分を含む。いくつかの実施形態では、第１の部分は音声デバイスを受容する。複数のリブは、第１の部分と異なる第２の部分を更に含んでもよい。いくつかの実施形態では、第２の部分はキャップ部材を受容する。また、いくつかの実施形態では、複数のリブは、第１の部分及び第２の部分によって共有される第１のリブを含む。
【０００５】
別の態様では、電子デバイスのためのエンクロージャが記載される。エンクロージャは、エンクロージャの外周部分の周りに一体的に形成されたいくつかの側壁を含んでもよい。いくつかの側壁は、第１のアパーチャ及び第２のアパーチャを有する第１の壁を含んでもよい。エンクロージャは、エンクロージャの後部上に一体的に形成され、第１の部分及び第２の部分を画定する第１の複数のリブを更に含んでもよい。いくつかの実施形態では、第１の部分は、第１の部分内に位置付けられた第１のフランジ部材上に第１の構成要素を受容するように適合されている。また、いくつかの実施形態では、第２の部分は、第２の部分内に位置付けられた第２のフランジ部材上に第２の構成要素を受容するように適合されている。エンクロージャは、第１の複数のリブと異なる第２の複数のリブを更に含んでもよい。いくつかの実施形態では、第２の複数のリブはエンクロージャの後部上に一体的に形成され、第３の部分及び第４の部分を画定する。いくつかの実施形態では、第３の部分は、第３の部分内に位置付けられた第３のフランジ部材上に第３の構成要素を受容するように適合されている。また、いくつかの実施形態では、第４の部分は、第４の部分内に位置付けられた第４のフランジ部材上に第４の構成要素を受容するように適合されている。いくつかの実施形態では、第１の複数のリブ及び第２の複数のリブは両方とも第１の壁と係合している。いくつかの実施形態では、第１のアパーチャは第１の部分内へ開く。いくつかの実施形態では、第２のアパーチャは第３の部分内へ開く。
【０００６】
別の態様では、電子デバイスのエンクロージャを形成するための方法が記載される。本方法は、アルミニウム基板の一部分を除去し、複数の側壁を形成することを含んでもよい。複数の側壁は第１の側壁を有してもよい。本方法は、複数の側壁の一部分を除去し、カバーガラスを受容するロケーションを画定することを更に含んでもよい。本方法は、アルミニウム基板の一部分を除去し、第１のリブ及び第２のリブを有するリブ構造体を画定することを更に含んでもよい。いくつかの実施形態では、第１のリブ及び第２のリブは、音声デバイス及びキャップ部材を受容するように適合される。いくつかの実施形態では、第１のリブ及び第２のリブは両方とも第１の側壁と係合している。本方法は、第１の側壁内の第１のアパーチャを除去することを更に含んでもよい。第１のアパーチャは第１のリブと第２のリブとの間のロケーション内へ開いてもよい。
【０００７】
実施形態の他のシステム、方法、特徴及び利点は、以下の図及び「発明を実施するための形態」の精査により、当業者には明白であるか、又は明白となるであろう。全ての追加のシステム、方法、特徴及び利点は、この説明及びこの概要内に含まれ、実施形態の範囲内であり、添付の請求項により保護されることが意図される。
【図面の簡単な説明】
【０００８】
添付の図面とともに以下の「発明を実施するための形態」により本開示は容易に理解されるであろう。図中、同一符号は同一の構造要素を示す。
【０００９】
【図１】本記載の実施形態に係る電子デバイスを示す。
【００１０】
【図２】本記載の実施形態に係る、カバーガラス、ディスプレイパネル、及び内部構成要素が取り外された状態の図１に示される電子デバイスを示す。
【００１１】
【図３】本記載の実施形態に係る、リブ構造体の特徴を示す図２におけるエンクロージャの拡大図の等角投影図を示す。
【００１２】
【図４】本記載の実施形態に係る、別のリブ構造体の特徴を示す図２におけるエンクロージャの拡大部分の等角投影図を示す。
【００１３】
【図５】本記載の実施形態に係る、いくつかの突起を有するキャップ部材を受容するリブ構造体の上面図を示す。
【００１４】
【図６】本記載の実施形態に係る、リブ構造体に接着固定されたキャップ部材を示すために線６−６に沿って見た、図５に示されるリブ構造体及びキャップ部材の断面図を示す。
【００１５】
【図７】リブ構造体内に対角方向リブを有するリブ構造体の代替実施形態の上面図を示す。
【００１６】
【図８】リブ構造体及び、エンクロージャの後部から延在するリブ構造体内の隆起部の一実施形態の上面図を示す。
【００１７】
【図９】本記載の実施形態に係る、リブ構造体に接着固定されたキャップ部材を示すために線９−９に沿って見た、図８に示されるリブ構造体の断面図を示す。
【００１８】
【図１０】キャップ部材の様々なロケーション内に位置付けられた突起を有するキャップ部材の一実施形態を示す。
【００１９】
【図１１】様々な形状及びサイズの、キャップ部材の様々なロケーション内に位置付けられた突起を有するキャップ部材の一実施形態を示す。
【００２０】
【図１２】直交異方性構成で整列された繊維を有するキャップ部材の一実施形態の拡大部分を示す。
【００２１】
【図１３】異なる直交異方性構成で整列された繊維を有するキャップ部材の代替実施形態の拡大部分を示す。
【００２２】
【図１４】対角方向構成で整列された繊維を有するキャップ部材の一実施形態の拡大部分を示す。
【００２３】
【図１５】本記載の実施形態に係る、両方ともエンクロージャの後部及び第１の側壁に対して一体的に形成された、第１のリブ構造体及び第２のリブ構造体を備えるエンクロージャを有する電子デバイスの一部分を示す。
【００２４】
【図１６】本記載の実施形態に係る、エンクロージャの後部及び側壁と一体的に形成された第３のリブ部分及び第４のリブ部分を示す、図１５において区分Ａと表された区域の等角投影図を示す。
【００２５】
【図１７】リブ構造体内に位置付けられた音響発泡材を有するリブ構造体の一実施形態の上面図を示す。
【００２６】
【図１８】リブ構造体内に位置付けられた構成要素を有するリブ構造体の一実施形態の上面図を示す。
【００２７】
【図１９】電子デバイスのエンクロージャを形成するための方法を示すフローチャートを示す。
【００２８】
当業者は、慣例に従い、以下において説明される図面の様々な特徴は必ずしも原寸に比例して描かれているわけではなく、図面の様々な特徴及び要素の寸法は、本明細書において説明されている本発明の実施形態をより明瞭に示すために拡大又は縮小されている場合があることを認識し、理解するであろう。
【考案を実施するための形態】
【００２９】
これより、添付の図面に示される代表的な実施形態が詳細に参照される。以下の説明は、実施形態を１つの好適な実施形態に限定することを意図されていないことを理解されたい。逆に、それは、添付の特許請求の範囲により定義されるような、記載された実施形態の趣旨及び範囲内に含まれ得る変形、修正及び均等物を包含することが意図されている。
【００３０】
以下の「発明を実施するための形態」では、説明の一部を成し、記載された実施形態に係る具体的な実施形態が例示として示される添付の図面が参照される。これらの実施形態は、当業者が、説明される実施形態を実践することができるように、十分に詳細に説明されるが、これらの実施例は限定的なものでなく、それゆえ他の実施形態を使用することができ、説明される実施形態の趣旨又は範囲から逸脱することなく変更を行うことができる点が、理解されよう。
【００３１】
以下の開示は電子デバイスのエンクロージャに関する。エンクロージャは、アルミニウムなどの金属の単体の基板から、基板を機械加工することによって基板のいくつかの部分が除去されて形成されてもよい。除去手段は、コンピュータ数値制御（computer numeric control、「ＣＮＣ」）マシン及び／又はウォータジェットを含んでもよい。除去プロセス後の基板の残りの部分は、エンクロージャと「一体的に形成された」と言及されてもよい。代替的に、エンクロージャは付加的な製造プロセスによって形成されてもよい。例えば、樹脂材料の複数の積層された層を印刷する能力を有する、３次元プリンタなどの、プリンタが、一体的に形成されたリブを有するエンクロージャを印刷するために用いられてもよい。
【００３２】
基板のいくつかの部分は、いくつかの機能を果たし得るリブ構造体を形成するために、除去されてもよい。例えば、リブ構造体はエンクロージャの後部に沿って延在し、エンクロージャの構造剛性を改善することができ、曲げに対するエンクロージャの抵抗をより高める。また、リブ構造体は、エンクロージャの側壁と一体的に形成されてもよい。これは、後部が、１〜２ミリメートル（「ｍｍ」）以下などの、比較的小さい厚さを維持しつつ、増大したサイズ（例えば、長さ及び／又は幅）を含むことを可能にする。これらの一体的に形成されたリブ構造体は、電子デバイス、又はその構成要素のいくつかへの損傷を防止し得る、エンクロージャの曲げ及び／又はねじりに対する抵抗を提供する。また、リブ構造体は、ユーザが電子デバイスを落とした時などの、落下事象に対する追加の抵抗を提供する。例えば、落下事象の際に電子デバイスが被る荷重、又は力は、リブ構造体によって、電子デバイスが表面と衝突したロケーションに関連付けられる局所的区域ではなく、エンクロージャ全体にわたって分散され得る。
【００３３】
リブ構造体はまた、音声デバイス（例えば、スピーカモジュール）及びキャップ部材を受容するように適合又は設計されていてもよい。キャップ部材は、例えば、炭素繊維を含む複合材料から形成されてもよい。複合材料は他の形態の繊維を含んでもよい。どちらの場合でも、繊維は、クリティカル荷重経路と整列されていてもよい。クリティカル荷重経路は、落下事象の際に電子デバイスが受ける荷重、又は力の方向若しくは向きとして定義される。キャップ部材はリブ構造体に接着固定されてもよく、これにより、落下事象に対する追加の抵抗を提供する。追加の支持を提供するために、キャップ部材は、エンクロージャの後部に接着固定される１つ以上の突起を含んでもよい。突起を含むキャップ部材をエンクロージャに接着固定することによって、また、追加の補剛強度も提供される。キャップ部材は、落下事象から受けた力の一部を吸収するだけでなく、また、落下事象の際のリブ構造体の移動を防止又は制限することによってリブ構造体を安定化させ得る。また、キャップ部材及びリブ構造体（及び場合によっては、音声デバイス）は組み合わさって、音声デバイスのための「背室容積（back volume）」として機能する空気の密閉容積又は領域を形成してもよく、音声デバイスが背室容積を通していくらかの音声を放出することを可能にし、これにより、電子デバイスの音声品質を向上させる。電子デバイスが複数の音声デバイスを含む場合には、複数の音声デバイスが、電子デバイスから、（例えば、デシベル単位の）同じ音圧レベルを有する音声を放射することを可能にするように構成された関連背室容積が存在し得る。その結果、ユーザは電子デバイスから一貫した音声を経験し得る。
【００３４】
場合によっては、エンクロージャは、付随する共振周波数、又は共振周波数群を有する材料を含んでもよい。音声デバイスから共振周波数で放射された音声は、エンクロージャを通して比較的大きな振動を望ましくない様態で発生させるか、又は励振（drive）し得る。しかし、上述された背室容積は、音声デバイスによって放射されたこれらの周波数を低減するか、又は減衰させるように設計され得る。例えば、空気の密閉容積は、音響エネルギーが、エンクロージャ全体にわたって広がる前に消散することを可能にし得る。更に、キャップ部材を形成する複合材料が音響エネルギーを吸収し得る。このようにして、音声デバイスは、エンクロージャの材料の１つ以上の共振周波数を含む、周波数の範囲を有する音声を、音声デバイスが共振周波数で音声を放射する期間に関連付けられる共振モーメントによる望ましくない振動を生じさせることなく放射することができる。更に、いくつかの電子デバイスは数個の音声デバイスを含んでもよい。この場合には、エンクロージャは、音声デバイスの数に対応して追加のリブ構造体及びキャップ部材を含んでもよい。各キャップ部材及びその突起の設計と結合された各リブ構造体の設計及びレイアウトによって、ほぼ同じ音圧レベルで音声を励振する複数の音声デバイスを有する電子デバイスが作り出され、一貫した音声を有する電子デバイスが作り出される。
【００３５】
これら及び他の実施形態について、図１〜図１９を参照して以下に説明する。しかし、これらの図に関して本明細書で与えられる詳細な説明は、説明を目的とするものにすぎず、限定するものとして解釈するべきではないことが、当業者には容易に理解されるであろう。
【００３６】
図１は電子デバイス１００の一実施形態を示す。いくつかの実施形態では、電子デバイス１００は、Ｃｕｐｅｒｔｉｎｏ，Ｃａｌｉｆ．のＡｐｐｌｅ  Ｉｎｃ．からのｉＰａｄ（登録商標）などの、タブレットコンピューティングデバイスである。他の実施形態では、電子デバイス１００は、スマートフォンなどの、移動通信デバイスである。電子デバイス１００は、カバーガラス１０４を受容するエンクロージャ１０２を含む。いくつかの実施形態では、エンクロージャ１０２は、アルミニウムなどの、金属から作製される。ディスプレイパネル１０６がエンクロージャ１０２とカバーガラス１０４との間に位置付けられていてもよく、また、カバーガラス１０４を通して見える視覚表示内容を駆動する能力を有する。
【００３７】
図２は、カバーガラス及びディスプレイパネルが取り外された状態の電子デバイス１００の上面図を示す。また、明瞭かつ簡潔にする目的上、いくつかの内部構成要素（例えば、プロセッサ、バッテリ、メモリデバイスなど）は、後部１０８及び側壁１１０を示すために取り外されている。後部１０８は単に説明の目的のために意図されているにすぎず、エンクロージャ１０２の正確なロケーションを画定することを意図されていないことを理解されたい。後部１０８は概して、側壁１１０内のエンクロージャ１０２の部分に関連付けられてもよい。また、側壁１１０は概して、エンクロージャ１０２の外周部分上の４辺の側壁構造体を表す。
【００３８】
エンクロージャ１０２は、後部１０８上に位置付けられたいくつかのリブ構造体を含む。リブ構造体の各々は音声デバイス及びキャップ部材の両方を受容する能力を有する。例えば、第１のリブ構造体１１２は第１の音声デバイス１１４及び第１のキャップ部材１１６を含む。いくつかの実施形態では、第１のリブ構造体１１２はエンクロージャ１０２に接着固定されている。図２に示される実施形態では、第１のリブ構造体１１２は、エンクロージャ１０２から材料を除去し、第１のリブ構造体１１２を形成するように構成された機械加工プロセス（例えば、ＣＮＣツール、ウォータジェットマシン）から形成される。換言すれば、第１のリブ構造体１１２はエンクロージャ１０２と一体的に形成され、したがって、エンクロージャ１０２と同じ材料から作製される。第１のリブ構造体１１２はまた、多辺構造体を画定するように一体的に形成された、いくつかのリブと言及されてもよい。第１のリブ構造体１１２は、特に、後部１０８が比較的薄い（例えば、およそ１ｍｍ）場合に、構造支持、並びにエンクロージャ１０２の曲げ及び／若しくはねじりに対する抵抗を提供し得る。
【００３９】
また、第１の音声デバイス１１４は第１のリブ構造体１１２内に位置付けられ、オーディオプロセッサ（図示されていない）などの、内部構成要素に電気接続されている。いくつかの実施形態では、第１の音声デバイス１１４は、パッシブラジエータを有し、音声を放射する能力を有するスピーカモジュールである。第１の音声デバイス１１４は、電子デバイス１００からの音声をユーザに聞かせるよう励振するように構成されていてもよい。音声は、例えば、呼び出し音、音声ファイル、又はビデオファイルに由来してもよい。これらは全て、電子デバイス１００内のメモリデバイス（図示されていない）内に記憶されていてもよい。
【００４０】
第１のキャップ部材１１６はまた、第１のリブ構造体１１２上に位置付けられ、第１の音声デバイス１１４に概ね近接して位置付けられている。いくつかの実施形態では、第１のキャップ部材１１６は第１のリブ構造体１１２の一部分に接着固定されている。また、いくつかの実施形態では、第１のキャップ部材１１６は金属材料又は金属合金から作製されている。図２に示される実施形態では、第１のキャップ部材１１６は、炭素繊維を含む材料から作製された複合構造体である。概して、第１のキャップ部材１１６は、好ましくは比較的軽量かつ比較的高い比剛性を有する任意の材料から作製され得る。更に、キャップ部材１１６は概して、限定するものではないが、均質合金又は直交異方性の高い複合材料を含む、高い比剛性及び良好な減衰特性を有する任意の材料又は材料群を含み得る。これは、キャップ部材１１６がエンクロージャ１０２の剛性に寄与し、その一方で、また、音声デバイスに関連付けられるいくつかの音響効果も低減することを可能にする。また、第１のキャップ部材１１６は、複合材料の大きなシートから、第１のリブ構造体１１２などの、リブ構造体内に適合するように切り出されてもよい。また、いくつかの実施形態では、第１のキャップ部材１１６は、第１のキャップ部材１１６の表面から後部１０８まで延在する、第１の突起１２０を含む、いくつかの突起１１８を含む。いくつかの実施形態では、突起１１８は後部１０８に接着固定される。これは後に示される。第１のキャップ部材１１６及び第１のリブ構造体１１２は組み合わさって、背室容積とも呼ばれる、半中空の密閉容積又は空気の領域を形成し、音響性能を向上又は増大させるために、その内部を通して第１の音声デバイス１１４が音波を放出することができる。これは後に更に詳細に図示され、説明される。
【００４１】
図３は、第１のリブ構造体１１２が第１のリブ構造体１１２の第１の部分内に第１の音声デバイス１１４を受容し、第２の部分内に第１のキャップ部材１１６を受容する様子を示す、エンクロージャ１０２の拡大部分の分解図を示す。第１のキャップ部材１１６及び突起１１８は、第１のリブ構造体１１２に接着固定されていてもよい。突起１１８の各々はエンクロージャ１０２の後部１０８に接着固定される一方で、第１のキャップ部材１１６は第１のリブ構造体１１２内のフランジ部材２０２に接着固定されてもよい。第１のリブ構造体１１２の一部分を示す拡大図は、概ね水平で、接着剤２０４を受容する能力を有するフランジ２０２を示す。フランジ部材２０２は、第１のリブ構造体１１２を形成するための上述された材料除去プロセスの間に形成されてもよい。第１のリブ構造体１１２は、およそ０．８〜３ｍｍの範囲内の長さ又は厚さ２０５を含んでもよい。また、フランジ２０２は、接着剤２０４に十分な区域を提供するとともに、第１のキャップ部材１１６が第１のリブ構造体１１２に接着固定するために十分な区域を提供するために、およそ１〜３ｍｍの範囲内、及び好ましくは少なくとも１．５ｍｍの長さ２０６を有してもよい。フランジ２０２は、第１のリブ構造体１１２を通じて実質的に一様な厚さ２０６を含んでもよい。また、接着剤２０４は、メタクリレート系、エポキシ系、又は感圧接着剤（pressure sensitive adhesive、「ＰＳＡ」）から選択されてもよい。図３に示される実施形態では、接着剤２０４はウレタンである。
【００４２】
第１の音声デバイス１１４はいくつかの仕方で第１のリブ構造体１１２に固定され得る。例えば、いくつかの実施形態では、第１の音声デバイス１１４は、第１のリブ構造体１１２内に位置付けられた機械的クリップ内に嵌合する圧縮性材料から作製されたビードを含む。図３に示される実施形態では、第１の音声デバイス１１４は、第１のキャップ部材１１６と同様の仕方で、すなわち、第１の音声デバイス１１４のフランジ部材２１０に接着固定するための第１のリブ構造体１１２内のフランジ部材２０８を用いることによって、第１のリブ構造体１１２に接着固定される。また、音声が電子デバイス１００を脱出するために、側壁１１０は、音声が第１の音声デバイス１１４の第１の開口部２１２から通過することを可能にする、スピーカグリルと一般的に呼ばれる、アパーチャ２２４を含んでもよい。（例えば、図２に示される）キャップ部材及び音声デバイスの他の構成が、音声デバイス及びキャップ部材のリブ構造体への固定手段などの、第１のリブ構造体１１２に関連付けられる特徴の実質的に全てを含み得ることは理解されるであろう。
【００４３】
音声デバイス及びキャップ部材がリブ構造体に固定されると、個々のリブ構造体とそれらのそれぞれのキャップ部材との間に音響シールが形成され得る。例えば、図４は、第４のリブ構造体１４２に接着固定された第４のキャップ部材１４６（図２に示される）を示すエンクロージャ１０２の一部分の拡大図を示す。図解の目的上、第４のキャップ部材１４６の一部分は、追加の特徴を示すために、示されていない。背室容積２１４が、第４のリブ構造体１４２と第４のキャップ部材１４６（突起１４８を含む）との間に密閉された空間又は領域として画定され得る。この点において、第４の音声デバイス１４４が第４のリブ構造体１４２に固定されると、音響シールが形成され得、背室容積２１４内の空気が実質的に閉じ込められ得る。それゆえ、第４の音声デバイス１４４が背室容積２１４内に音声を放出する際に、空気は概ね逃げ出すことがない。また、第４のリブ構造体１４２は、アンダーパス２１６を画定するために除去された材料の部分を含む、第１のリブ１５８を含んでもよい。他の実施形態では、第４のリブ構造体は第２のリブ１６２内にアンダーパス２１６を含む。更に、他の実施形態では、第４のリブ構造体１４２は第１のリブ１５８及び第２のリブ１６２の両方の内部にアンダーパスを含む。概して、アンダーパス２１６は、アンダーパス２１６が第４のリブ構造体１４２のリブを共有する第１の部分及び第２の部分へ開くような第４のリブ構造体１４２のロケーション内に形成されてもよい。ここで、第１の部分及び第２の部分は第４の音声デバイス１４４及び第４のキャップ部材１４６をそれぞれ受容する。いくつかの実施形態では、アンダーパス２１６はＴカッター（図示されていない）などの除去ツールによって形成される。このように、第４の音声デバイス１４４が第４のリブ構造体１４２に固定されると、第４の音声デバイス１４４は、音響性能を向上又は増大させるために、アンダーパス２１６を介して、第２の開口部２１８を介して背室容積２１４内へ音波を放出し得る。
【００４４】
また、音響シールは空気を背室容積内に実質的に閉じ込め得るため、電子デバイスが様々な高度にさらされると、問題が生じ得る。電子デバイスが、３０，０００フィート以上の高度に達し得るコミュータジェット機上に持ち込まれた場合には、背室容積２１４内の空気圧は大幅に減少し得、その結果、第４のキャップ部材１４６はリブ構造体１４２との間の接着剤結合を破壊し、少なくとも部分的に脱離する。これを防止するために、いくつかの実施形態では、第４のキャップ部材１４６は通気孔２２０を含む。通気孔２２０は、背室容積２１４内へ入る、及びそこから出るいくらかの空気の移動を可能にする、第４のキャップ部材１４６上、及び場合によっては、突起１４８の間の任意の場所に位置付けられた任意の開口部であり得る。通気孔２２０はおよそ０．２〜０．５ｍｍの範囲内の直径を含む。概して、通気孔２２０は、高度が減少及び増大した期間中に、相当な量の空気が、それぞれ、内部へ、及び内部から通過することを可能にしないように、十分に小さい直径を含む。通気孔は、電子デバイス内の他のキャップ部材と同様の仕方で形成されてもよいことは理解されるであろう。
【００４５】
図４は、厚さ１６８を有する後部１０８を更に示す。厚さ１６８はおよそ０．４〜２ｍｍの範囲内であってもよい。また、後部１０８は実質的に一様な厚さ１６８を含んでもよい。カバーガラス（図１に示される）を受容するために、いくつかの実施形態では、エンクロージャ１０２は、上述された材料除去プロセスから形成された表面１７２を含む。表面１７２は側壁１１０のものと同様の様態でエンクロージャ１０２の周りに延在してもよく、カバーガラスを受容するように設計されている。
【００４６】
図２を再び参照すると、場合によっては、第１の音声デバイス１１４は、エンクロージャ１０２を形成する材料の共振周波数に等しい周波数で、（上述された）関連付けられた背室容積内へ音波を放出し得る。その結果、後部１０８を含むエンクロージャ１０２は、第１の音声デバイス１１４によって生成される音波の周波数に関連付けられる振幅よりも大きな振幅を含む共振周波数で振動することによって反応し得る。場合によっては、この振動は、電子デバイス１００を持ったユーザによって感じられることがあり得、望ましくないユーザエクスペリエンスを生じさせる。エンクロージャ１０２を振動させる共振周波数の効果を減衰させるか、又は低減するために、第１のリブ構造体１１２、第１のキャップ部材１１６、及び突起１１８は、組み合わさって、共振周波数を生じさせる音波に関連付けられるエネルギーの一部を吸収し得る。例えば、後部１０８、第１のリブ構造体１１２、第１のキャップ部材１１６、及び突起１１８によって密閉された背室容積は、音波を受けて通過させ、上述の構造体に接触した時に、音波に関連付けられたエネルギーが消散することを可能にし得る。また、第１のキャップ部材１１６は、特に、第１のキャップ部材１１６が繊維から形成されている場合には、エネルギーを更に消散させ得る。例えば、音波は、第１のキャップ部材１１６内の繊維の間を横断することによって消散させられてもよい。これらの特徴は、エンクロージャ１０２が、第１のリブ構造体１１２によって包含された部分などの、第１の音声デバイス１１４に関連付けられたエンクロージャ１０２の部分から音響的に分離することを可能にする。これらの特徴はエンクロージャ１０２内の他の音声デバイスに関連付けられてもよいことを理解されたい。このように、音声デバイスによって生成される共振周波数、又は共振モーメントがユーザによって概ね気付かれなくなるため、ユーザエクスペリエンスが改善され得る。
【００４７】
電子デバイス１００は、音声デバイス及びキャップ部材を受容する能力を同様に有する追加のリブ構造体を含んでもよい。いくつかの実施形態では、電子デバイス１００は、１対のリブ構造体、音声デバイス、及びキャップ部材を含む。他の実施形態では、電子デバイス１００は、３つのリブ構造体、音声デバイス、及びキャップ部材を含む。図２に示される実施形態では、電子デバイス１００は、４つのリブ構造体、音声デバイス、及びキャップ部材を含む。上述のリブ構造体、音声デバイス、及びキャップ部材に加えて、電子デバイス１００は、第２の音声デバイス１２４、第３の音声デバイス１３４、及び第４の音声デバイス１４４をそれぞれ受容する第２のリブ構造体１２２、第３のリブ構造体１３２、及び第４のリブ構造体１４２を更に含む。また、第２のリブ構造体１２２、第３のリブ構造体１３２、及び第４のリブ構造体１４２は、第２のキャップ部材１２６、第３のキャップ部材１３６、及び第４のキャップ部材１４６をそれぞれ受容する。また、図２に示されるように、第２のキャップ部材１２６は突起１２８を含み、第３のキャップ部材１３６は突起１３８を含み、第４のキャップ部材１４６は突起１４８を含む。これらの構造体は、上述されたものと同様の任意の特徴を含み得る。例えば、第３のリブ構造体１３２は、第３のキャップ部材１３６と協働して、エンクロージャ１０２が、第３のリブ構造体１３２によって包含された部分などの、第３の音声デバイス１３４に関連付けられたエンクロージャ１０２のロケーションから音響的に分離することを更に可能にするように機能し得る。また、第２のリブ構造体１２２、第３のリブ構造体１３２、及び第４のリブ構造体１４２は、追加の構造支持、並びにエンクロージャ１０２の曲げ及び／若しくはねじりに対する追加の抵抗を提供し得る。これは、エンクロージャ１０２の後部１０８の厚さの減少を更に可能にし得、電子デバイス１００内に追加の空間を作り出し、及び／又は使用される材料のコストを低減する。
【００４８】
また、電子デバイス１００などの電子デバイスは、特に、ユーザが電子デバイスを比較的固く稠密な表面上に落とした時などの、落下事象の際に、損傷を受けやすい。これらの落下事象は、カバーガラス１０４（図１に示される）をエンクロージャ１０２から機械的に脱離させるのに十分な荷重力を電子デバイス１００内に生じさせ得る。特に、第１の角部１５２などの、電子デバイス１００の角部が固い表面と衝突した場合には、電子デバイス１００は脱離をより起こしやすくなり得る。しかし、上述された望ましい音響効果を提供することに加えて、第１のリブ構造体１１２は、落下事象の際に被る荷重力の少なくとも一部を消散させる能力を更に有する。具体的には、落下事象は、カバーガラスの脱離を生じさせ得る力を側壁１１０に送り得る。しかし、第１のリブ構造体１１２は、落下事象に関連付けられる力を、後部１０８などの、力を消散させるためにより適し得るエンクロージャ１０２の他の部分へ導くか、又は分散させるように構成されている。更に、第１のキャップ部材１１６が第１のリブ構造体１１２内に位置付けられ、（例えば、接着剤によって）そこに固定されると、電子デバイス１００は更なる荷重力に耐えることができる。更に、突起１１８は、エンクロージャ１０２の後部１０８に接着によって付着されると、落下事象の際の第１のキャップ部材１１６の移動を最小限に抑えることによって、追加の剛性及び固さをエンクロージャ１０２に付加する。このように、電子デバイス１００は、エンクロージャ１０２からのカバーガラス１０４などの構成要素の機械的脱離を防止するために十分な支持を提供され得る。他のリブ構造体、キャップ部材、及び提供キャップ部材の突起は、全て、落下事象に対する追加の抵抗を提供することによって電子デバイス１００の強度及び完全性を改善する、第１のリブ構造体１１２、第１のキャップ部材１１６及び突起１１８について上述された実質的に同様の特徴及び利点を含み得ることを理解されたい。
【００４９】
リブ構造体、音声デバイス、キャップ部材（突起を含む）は異なる形状を含んでもよい。例えば、図２は、第１のリブ構造体１１２が、異なる２次元区域に対応する第２のリブ構造体１２２と異なる２次元形状を有する様子を示す。それに応じて、第１のキャップ部材１１６は、第２のキャップ部材１２６のものと異なる２次元形状を含む。また、第１の音声デバイス１１４は、第２の音声デバイス１２４のものと異なる２次元形状を含む。形状の相違は電子デバイス１００内の制約に一部起因し得る。例えば、第１のリブ構造体１１２及び第２のリブ構造体１２２は、内部構成要素（例えば、プロセッサ、メインロジックボード、メモリ、バッテリ、配線など）が、第１のリブ構造体１１２及び第２のリブ構造体１２２の周り、及び／又はそれらの間を通過することを可能にするように設計されてもよい。これは、内部構成要素の最適な位置付け、並びに／又は特定若しくは固有のロケーションにおいてエンクロージャ１０２への構造支持を提供することを可能にし得る。他の実施形態では、リブ構造体は形状が実質的に同様である。
【００５０】
しかし、構造上の相違は音響上の相違に対応し得る。例えば、第１の音声デバイス１１４は、第２の音声デバイス１２４から、第２のリブ構造体１２２と第２のキャップ部材１２６との間に密閉された容積によって画定された背室容積内へ放出される音波と異なる様態で、背室容積２１４（図４に示される）内へ音波を放出し得る。この点において、図２は、第１のキャップ部材１１６が、第２のキャップ部材１２６の突起１２８と異なるサイズを有する突起１１８を有し、それにより、第１の音声デバイス１１４及び第２の音声デバイス１２４に関連付けられた背室容積は実質的に同様になっている様子を示す。換言すれば、背室容積２１４は、第２の音声デバイス１２４に関連付けられた背室容積のものと同様の３次元容積を含み得る。これは、第１の音声デバイス１１４が、第２の音声デバイス１２４のものと同様の音量レベル（例えば、デシベルレベル）をユーザに送り出すことを可能にし得る。異なる関連音声デバイスからの同様の背室容積寸法を形成するために、いくつかの実施形態では、突起１１８の形状は突起１２８と異なる。例えば、いくつかの実施形態では、突起１１８は、４辺を有する形状を含み、その一方で、突起は実質的に円形のままである。図２に示される実施形態では、例示的な第１の突起１２０は、例示的な第２の突起１３０の直径１５６よりも小さい直径１５４を含む。更に、第１のキャップ部材１１６は、第２のキャップ部材１２６の突起１２８と異なる数の突起１１８を含む。また、望ましい音響効果（例えば、異なる音声デバイスからの同様の音量）を作り出すために、いくつかの実施形態では、キャップ部材の突起は、行及び／又は列を成すように整列されない。図２に示される実施形態では、第１のキャップ部材１１６及び第２のキャップ部材１２６は両方とも、行及び列を成すように整列された突起１１８及び突起１２８をそれぞれ含む。組み合わさって背室容積を形成する構造体全体は、電子デバイスが複数の音声デバイスを通じて一貫した音量を分布させるよう、音声スピーカのサイズ又は音声能力の相違を相殺するように構造化されることにも留意されたい。したがって、電子デバイス１００は、実質的に同様のサイズを有する音声デバイスを含んでもよいか、又は少なくとも１つの音声デバイス（例えば、第１の音声デバイス１１４）は異なってもよい。
【００５１】
図２は、第１のリブ構造体１１２及び第２のリブ構造体１２２が両方とも、第３のリブ構造体１３２及び第４のリブ構造体１４２と異なる２次元形状を有する様子を更に示す。このような相違は、第１のリブ構造体１１２と第２のリブ構造体１２２との相違の上述されたいずれかの理由（例えば、他の内部構成要素に起因する制約）によるものであり得る。しかし、第３のキャップ部材１３６及び第４のキャップ部材１４６とそれぞれ結合された第３のリブ構造体１３２及び第４のリブ構造体１４２は、第３の音声デバイス１３４及び第４の音声デバイス１４４が第１の音声デバイス１１４及び第２の音声デバイス１２４の音量レベルと実質的に同様の音量レベルを送り出すよう、第３の音声デバイス１３４及び第４の音声デバイス１４４とそれぞれ協調するように設計されている。このように、４つの音声デバイス１１４、１２４、１３４、及び１４４は、音声に関して一貫したユーザエクスペリエンスを提供するために、実質的に同様のレベルを有する電子デバイス１００を提供するように協働する。
【００５２】
図２に示される実施形態では、リブ構造体、音声デバイス、及びキャップ部材は電子デバイス１００のそれぞれの角部に位置付けられている。しかし、これらの構造体及び構成要素は、様々な内部構成要素を収容するため、又は改善された音声品質を提供するために適し得る他の区域（例えば、側壁の中心点に近接した区域）内に位置付けられてもよい。切削ツール（例えば、ＣＮＣツール）は、基板から材料を切削又は除去し、エンクロージャを形成するためのコンピュータコードを変更することによって、容易に再プログラムされ得る。また、リブ構造体は、隣接する直線状構造体の間に屈曲部又は肘部を有する概ね直線状の構造体である。他の実施形態では、リブ構造体は、エンクロージャの構造支持を改善する目的、及び／又は音声品質を改善する目的のために、曲線状、又はほぼ円形であってもよい。
【００５３】
電子デバイスは、リブ構造体及びキャップ部材の他の変形例を含んでもよい。例えば、図５及び図６は、リブ構造体２２２及びキャップ部材２２６を有する電子デバイスの一実施形態を示す。キャップ部材２２６は、キャップ部材のための上述されたいずれかの材料から作製され得る。
【００５４】
図５は、リブ構造体２２２内に位置付けられたキャップ部材２２６を有するリブ構造体２２２の上面図を示す。図６は、キャップ部材２２６がリブ構造体２２２に接着固定された様子を示す、線６−６に沿って見た、図５に示されるキャップ部材２２６の断面図を示す。拡大図に示されるように、キャップ部材２２６の外周領域は接着剤２３６を介してリブ構造体２２２のフランジ２３０に接着固定され、上述された音響シールの一部を形成する。
【００５５】
突起２２８はリブ構造体の後部２３２に接着固定されてもよい。例えば、拡大図に示される例示的な第１の突起２３４は接着剤２３８を介して後部２３２に付着される。全ての突起２２８は同様の仕方で後部２３２に接着によって付着されてもよいことは理解されるであろう。これは、電子デバイスに、追加の構造支持、並びに電子デバイスの曲げ、ねじり、及び／若しくは落下に対する抵抗を提供する。
【００５６】
拡大図はまた、リブ構造体２２２及びキャップ部材２２６が、キャップ構造体２２６の上面がリブ構造体２２２に対して実質的に面一になるか、又は同一平面上になるような寸法を有する様子を示す。これは、材料除去プロセスの間に形成されるフランジ２３０の位置付け、キャップ部材２２６の厚さ、又はそれらの組み合わせに一部よるものである。他の実施形態では、キャップ部材２２６は、キャップ部材がリブ構造体２２２から盛り上がっているか、又はその上方に延在するような厚さを含む。このように、キャップ部材２２６は、例えば、キャップ部材２２６に沿った導電経路を形成するための導電材料を含んでもよい。代替的に、キャップ部材２２６はレーザエッチングされ、その後、電流のための経路を作り出すための導電接着剤を含んでもよい。
【００５７】
キャップ部材２２６は概して、およそ１．２〜１．８ｍｍの範囲内の高さ２４０を有する。更に、キャップ部材２２６は、およそ０．３〜０．６ｍｍの範囲内、好ましくは０．４〜０．５ｍｍの範囲内の厚さを含んでもよい。また、いくつかの実施形態では、突起２２８は、例えば、ＣＮＣツールによってキャップ部材２２６から材料を除去することによって形成される。図５及び図６に示される実施形態では、突起２２８は、キャップ部材２２６を、図示の形状などの、所望の形状に押し出し成形することによって形成される。このように、キャップ部材２２６は、材料除去プロセスの間における不使用材料又は廃棄材料を最小限に抑えながらも、依然として（重量が）比較的軽いままになる。
【００５８】
図７〜図９は、突起を有することなく構造支持を提供するキャップ部材の実施形態を示す。図７は、キャップ部材（図示されていない）を受容する能力を有する部分を有するリブ構造体３１２を備えるエンクロージャ３０２を有する電子デバイスの拡大部分を示す。本実施形態では、リブ構造体３１２は、リブ構造体３１２内に位置付けられ、エンクロージャ３０２の後部３２０から延在する第１のリブ３１６及び第２のリブ３１８を含む。第１のリブ３１６及び第２のリブ３１８は、リブ構造体を形成するための上述された材料除去から形成されてもよく、そのため、第１のリブ３１６及び第２のリブ３１８はエンクロージャ３０２の材料と同じ材料から形成される。第１のリブ３１６は、電子デバイスを落とした時に、特に、角部３２２から落ちた時に被る力を散逸させるために、エンクロージャ３０２に対して対角方向であってもよい。しかし、第１のリブ３１６は概して、望ましい構造上及び／又は音響上の支持を提供するために、他の形状を呈してもよい。第２のリブ３１８は、電子デバイス上に被る荷重力を散逸させるために位置付けられるだけでなく、リブ構造体３１２内の望ましい音響特性、例えば、電子デバイス内の他の音声デバイスと一致した音量を生み出すための背室容積を作り出すためにも位置付けられてもよい。
【００５９】
また、第１のリブ３１６及び第２のリブ３１８は、先の実施形態に示される突起のものと同様の高さを含んでもよい。このように、キャップ部材は、キャップ部材が、リブ構造体３１２ばかりでなく、第１のリブ３１６及び第２のリブ３１８にも接着固定されることができるようにリブ構造体３１２内に配置されてもよい。他の実施形態では、第１のリブ３１６及び第２のリブ３１８は硬質材料（例えば、金属、プラスチック）から形成され、エンクロージャ３０２の後部３０８に接着によって付着される。
【００６０】
図８及び図９は、エンクロージャの後部から延在する、いくつかの隆起部、又は突起を備えるリブ構造体を有する電子デバイスのエンクロージャの代替実施形態を示す。図８は、エンクロージャ４０２の後部４２０上にリブ構造体４１２及び隆起部４１４を備えるエンクロージャ４０２を有する電子デバイスの拡大部分を示す。キャップ部材は、隆起部４１４を示すために取り外されている。隆起部４１４は、リブ構造体のための上述した任意の材料除去プロセスから形成されてもよく、そのため、隆起部４１４はエンクロージャ４０２と同じ材料から作製される。他の実施形態では、隆起部４１４は硬質材料（例えば、金属、プラスチック）から形成され、エンクロージャ４０２の後部４０８に接着によって付着される。
【００６１】
図９は、線９−９に沿って見たリブ構造体４１２の断面図を示す。リブ構造体４１２への固定手段を示すためにキャップ部材４２６が追加されている。拡大図は、リブ構造体４１２のフランジ４２２に接着固定されたキャップ部材４２６の外周部分を示す。また、隆起部４１４の各々はキャップ部材４２６に接着によって付着されてもよい。例えば、第１の隆起部４１６は接着剤４１８を介してキャップ部材４２６に接着によって付着される。
【００６２】
図７〜図９に示される構成にもかかわらず、これらの実施形態はそれでもなお、同様の音量レベルを出力するなど、上述された仕方で電子デバイスから音声を放射するリブ構造体に結合された２つ以上の音声デバイスを含む電子デバイス（例えば、電子デバイス１００）を作り出すように構成され得る。
【００６３】
図１０は、比較的非一様なパターンのいくつかの突起５２８を有するキャップ部材５２６の一実施形態の上面図を示す。換言すれば、突起５２８は、列又は行を成すように並んでいない。図１１は、比較的非一様なパターンのいくつかの突起６２８を有し、異なる形状及びサイズの突起６２８を更に有するキャップ部材６２６の一実施形態の上面図を示す。例えば、第１の突起６３２及び第２の突起６３４は（上面視で）実質的に円形であるが、第１の突起６３２は、第２の突起６３４の直径よりも小さい直径を含む。また、図１１は、第３の突起６３６が、４辺を有する形状を有し、その一方で、第４の突起６３８が、６辺を有する形状を有する様子を示す。図１０及び図１１は、突起は、どちらも上述された、望ましい構造支持及び望ましい音響構成を同様に作り出す様々な幾何形状及びサイズを有するように形成され得ることを例示するために設計されている。
【００６４】
図１２〜図１４は、キャップ部材内の繊維の様々なパターン又は構成を示すキャップ部材の拡大部分を示す。図１２〜図１４に示される繊維は、炭素繊維を含む、複合材料の一部であってもよい。図１２は、概ね直交異方性構成の繊維７３０を有するキャップ部材７２６を示す。例えば、第１の繊維７３２は概ね円形のパターンを含み、その一方で、第２の繊維７３４は概ね直線状のパターンで構成されている。図１３は、異なる直交異方性構成で配列された繊維８３０を有するキャップ部材８２６を示す。例えば、第１の繊維８３２は概ね、第１の方向（例えば、垂直方向）に整列され、その一方で、第２の繊維８３４は概ね、第１の方向と直角な方向（例えば、水平方向）に整列されている。図１２及び図１３は、複数の方向からの落下事象の際に発生される荷重力に抵抗するために用いられ得る。また、他の実施形態では、繊維（例えば、繊維７３０又は繊維８３０）は、ランダムパターンで、すなわち、認識可能な配列を有しないように配列されてもよい。
【００６５】
図１４は、実質的に対角方向の繊維９３０を有するキャップ部材９２６を示す。このように配向された繊維９３０は、電子デバイスが角部（例えば、図２における第１の角部１５２）から落とされるような落下事象の場合に抵抗するために有利になり得る。このように、落下の際に発生される荷重力は繊維９３０の方向に電子デバイスに加わる。
【００６６】
追加の構造上の改善が電子デバイス内に組み込まれてもよい。特に、改善は、側壁及び／又はエンクロージャに適用された陽極酸化層の割れに抵抗することができる。例えば、図１５は、両方とも上述の材料除去技法を通じて後部１００８及び第１の側壁１０１０に一体的に形成された、第１のリブ構造体１０１２及び第２のリブ構造体１０２２を備えるエンクロージャ１００２を有する電子デバイス１０００の一部分を示す。また、エンクロージャ１００２は、後部１００８及び第１の側壁１０１０に一体的に形成された第３のリブ部分１０３２及び第４のリブ部分１０４２を含んでもよい。また、第３のリブ部分１０３２は第１のリブ構造体１０１２に一体的に形成され、第４のリブ部分１０４２は第２のリブ構造体１０２２に一体的に形成されている。このように、電子デバイスが、第１の側壁１０１０が物体に衝突する様態で落とされた時に、第３のリブ部分１０３２及び第４のリブ部分１０４２は第１の側壁１０１０及び陽極酸化層（図示されていない）への構造支持を提供する。更に、第３のリブ部分１０３２及び第４のリブ部分１０４２は、第３のリブ部分１０３２及び第４のリブ部分１０４２に近接したエンクロージャ１００２の部分におけるねじり及び／又は曲げに更に抵抗し得る。
【００６７】
図１６は、図１５において区分Ａとして示される区域の等角投影図を示し、第３のリブ部分１０３２及び第４のリブ部分１０４２が、図１５において説明された様態で一体的に形成されている様子を示す。上述の構造支持を提供するために、第３のリブ部分１０３２及び第４のリブ部分１０４２は、第１のリブ構造体１０１２の厚さと同様の厚さを含んでもよい。例えば、第３のリブ部分１０３２は、第１のリブ構造体１０１２の厚さ１０１４と実質的に同様の厚さ１０３４を含む。
【００６８】
先の実施形態は、構造的及び音響的向上をもたらすために用いられるリブ構造体内の様々な構造体を示している。しかし、他の構造体がリブ構造体内に位置付けられてもよい。例えば、図１７は、リブ構造体１１１２内に音響発泡材１１０４を有するエンクロージャ１１０２の拡大部分を示す。音響発泡材１１０４はポリエーテル又はポリエステルなどの材料から形成されてもよい。これは、同じ音圧レベルを出力する音声デバイスを構成するために、音声吸収などの、追加の音響的向上をもたらすために用いられてもよい。また、音響発泡材１１０４は、キャップ部材がリブ構造体１１１２に接着固定されると、キャップ部材（図示されていない）への別個の補剛も提供し得る。また、いくつかの実施形態では、音響発泡材１１０４は、ハニカム構成を有する有芯積層構造物である。いくつかの実施形態では、音響発泡材１１０４の多孔質領域は独立気泡構成で構成され、これにより、エンクロージャ１１０２の全重量を低減するとともに、剛性を増す。図１８は、リブ構造体１２１２内に第１の構成要素１２０４及び第２の構成要素１２０６を有するエンクロージャ１２０２の拡大部分を示す。第１の構成要素１２０４及び第２の構成要素１２０６は、メモリデバイス、電源、又はプロセッサから選択されてもよい。このように、電子デバイスは、リブ構造体１２１２内の空間を構成要素のために利用することによって、全体的に低減されたフットプリントを含み得る。また、第１の構成要素１２０４及び第２の構成要素１２０６は、エンクロージャ１２０２への構造支持を提供するために、後部１２０８に接着固定されてもよい。
【００６９】
図１９は、電子デバイスのエンクロージャを形成するための方法を示すフローチャート１３００を示す。ステップ１３０２において、アルミニウム基板の一部分を除去し、側壁を形成する。いくつかの実施形態では、側壁は第１の側壁を有する。ステップ１３０４において、側壁の一部分を除去し、カバーガラスを受容するロケーションを画定する。ステップ１３０６において、アルミニウム基板の一部分を除去し、第１のリブ及び第２のリブを有するリブ構造体を画定する。いくつかの実施形態では、第１のリブ及び第２のリブは、音声デバイス及びキャップ部材を受容するように適合される。また、いくつかの実施形態では、第１のリブ及び第２のリブは両方とも第１の側壁と係合している。更に、いくつかの実施形態では、第１のリブ及び／又は第２のリブ内に、キャップ部材を接着固定するためのフランジ部材が機械加工されてもよい。また、いくつかの実施形態では、第１のリブ及び／又は第２のリブ内にアンダーパスが機械加工されてもよい。また、いくつかの実施形態では、第３のリブが少なくとも第２のリブと一体的に形成されてもよい。第３のリブは、音声デバイス及びキャップ部材と接触しないように構成されてもよい。ステップ１３０８において、第１の側壁内の第１のアパーチャを除去する。いくつかの実施形態では、第１のアパーチャは第１のリブと第２のリブとの間のロケーション内へ開く。第１のアパーチャは、音声デバイスが電子デバイスからの音声を放射するための開口部を画定してもよい。
【００７０】
記載された実施形態の様々な態様、実施形態、実装形態、又は特徴は、個別に又は任意の組み合わせで用いることができる。記述される実施形態の各種の態様をソフトウェア、ハードウェア、又はハードウェアとソフトウェアの組み合わせにより実施することができる。説明された実施形態はまた、製造作業を制御するための、コンピュータ可読媒体上のコンピュータ可読コードとして、又は製造ラインを制御するための、コンピュータ可読媒体上のコンピュータ可読コードとして、具現化することもできる。このコンピュータ可読媒体は、後でコンピュータシステムによって読み込むことが可能なデータを記憶することができる、任意のデータ記憶装置である。コンピュータ可読媒体の例としては、読み取り専用メモリ、ランダムアクセスメモリ、ＣＤ−ＲＯＭ、ＨＤＤ、ＤＶＤ、磁気テープ、及び光学的データ記憶デバイスが挙げられる。コンピュータ可読コードが分散形式で記憶及び実行されるように、コンピュータ可読媒体をネットワークに結合されたコンピュータシステムにわたって分散させることもできる。
【００７１】
前述の説明は、本記載の実施形態の完全な理解を提供するために、説明を目的として特定の専門用語を使用した。しかし、本記載の実施形態を実践するために、特定の詳細が必要とされないことが当業者にとって明らかであろう。それゆえ、本明細書で説明した具体的な実施形態の上述の説明は、例示及び説明の目的のために提示されるものである。それらの説明は、網羅的であることも、又は開示される厳密な形態に実施形態を限定することも、目的とするものではない。上記の教示を考慮して多くの変更及び変形が可能であることが当業者には明らかとなるであろう。
【図１】
0003213038.tif 000003
【図２】
0003213038.tif 000004
【図３】
0003213038.tif 000005
【図４】
0003213038.tif 000006
【図５】
0003213038.tif 000007
【図６】
0003213038.tif 000008
【図７】
0003213038.tif 000009
【図８】
0003213038.tif 000010
【図９】
0003213038.tif 000011
【図１０】
0003213038.tif 000012
【図１１】
0003213038.tif 000013
【図１２】
0003213038.tif 000014
【図１３】
0003213038.tif 000015
【図１４】
0003213038.tif 000016
【図１５】
0003213038.tif 000017
【図１６】
0003213038.tif 000018
【図１７】
0003213038.tif 000019
【図１８】
0003213038.tif 000020
【図１９】
0003213038.tif 000021
【手続補正書】
【提出日】平成29年4月4日(2017.4.4)
【手続補正１】
【補正対象書類名】実用新案登録請求の範囲
【補正対象項目名】全文
【補正方法】変更
【補正の内容】
【実用新案登録請求の範囲】
【請求項１】
電子デバイスのためのエンクロージャであって、
前記エンクロージャの後部に沿って延在するリブ構造体を画定する複数のリブを更に備え、前記の複数のリブは、
前記エンクロージャの側壁と係合した第１の部分であって、前記第１の部分は音声デバイスを受容する、第１の部分と、
前記第１の部分と異なる第２の部分であって、前記第２の部分はキャップ部材を受容する、第２の部分と、を備え、前記複数のリブは第１のリブを含み、前記第１のリブは前記第１の部分及び前記第２の部分によって共有されている、エンクロージャ。
【請求項２】
前記第１のリブ内のアンダーパスであって、前記アンダーパスは前記第１の部分を前記第２の部分へ開く、アンダーパスを更に備える、請求項１に記載のエンクロージャ。
【請求項３】
前記エンクロージャの外周部分の周りに延在する側壁を更に備え、前記側壁は開口部を備える、請求項２に記載のエンクロージャ。
【請求項４】
前記音声デバイスを前記第１の部分内に固定するための手段と、前記キャップ部材を前記第２の部分内に固定するための手段と、を更に備える、請求項１に記載のエンクロージャ。
【請求項５】
前記キャップ部材を前記第２の部分内に固定するための前記手段が、前記第２の部分内に位置付けられたフランジを備え、前記フランジは、前記キャップ部材、及び前記キャップ部材を前記第２の部分に接着固定するための接着剤を受容する、請求項４に記載のエンクロージャ。
【請求項６】
前記キャップ部材が複合材料を含み、前記キャップ部材が、前記後部に接着固定された複数の突起を更に備える、請求項５に記載のエンクロージャ。
【請求項７】
前記複数のリブ、前記音声デバイス、及び前記キャップ部材が組み合わさって音響シールを形成する、請求項６に記載のエンクロージャ。
【請求項８】
前記音声デバイスが、前記リブ構造体と接触し、前記第１の部分の上部を密閉するカバー部分を含む、請求項１に記載のエンクロージャ。
【請求項９】
前記複数のリブが前記エンクロージャの前記後部の上方の実質的に一様な高さに延在する、請求項１に記載のエンクロージャ。
【請求項１０】
電子デバイスのためのエンクロージャであって、
前記エンクロージャの外周部分の周りに一体的に形成された複数の側壁であって、前記複数の側壁は、第１のアパーチャ及び第２のアパーチャを有する第１の壁を備える、複数の側壁と、
前記エンクロージャの後部上に一体的に形成され、第１の部分及び第２の部分を画定する第１の複数のリブであって、前記第１の部分は、前記第１の部分内に位置付けられた第１のフランジ部材上に音声デバイスを受容するように適合され、前記第２の部分は、前記第２の部分内に位置付けられた第２のフランジ部材上に第２の構成要素を受容するように適合されている、第１の複数のリブと、
前記第１の複数のリブと異なる第２の複数のリブであって、前記第２の複数のリブは前記エンクロージャの前記後部上に一体的に形成され、第３の部分及び第４の部分を画定し、前記第３の部分は、前記第３の部分内に位置付けられた第３のフランジ部材上に第３の構成要素を受容するように適合され、前記第４の部分は、前記第４の部分内に位置付けられた第４のフランジ部材上に第４の構成要素を受容するように適合されている、第２の複数のリブと、を備え、
前記第１の複数のリブ及び前記第２の複数のリブは両方とも前記第１の壁と係合し、前記第１のアパーチャは前記第１の部分内へ開き、前記第２のアパーチャは前記第３の部分内へ開く、エンクロージャ。
【請求項１１】
後部を更に備え、前記第２の構成要素、及び前記第２の構成要素の突起が前記後部に接着固定されている、請求項１０に記載のエンクロージャ。
【請求項１２】
前記第１の複数のリブ内の第１のアンダーパスであって、前記第１のアンダーパスは前記第１の部分及び前記第２の部分へ開く、第１のアンダーパスを更に備える、請求項１０に記載のエンクロージャ。
【請求項１３】
前記音声デバイスが、前記第１のアパーチャ及び前記第１のアンダーパスを通して音声を放射する、請求項１２に記載のエンクロージャ。
【請求項１４】
前記音声デバイス及び前記第２の構成要素が、前記第１の部分及び前記第２の部分の実質的に上部区域全体を覆う上面をそれぞれ画定する、請求項１０に記載のエンクロージャ。
【請求項１５】
電子デバイスであって、
音声励振器のための支持体を画定するリブ構造体のセットと、
リブ構造体のセットに接着固定され、前記音声励振器のための背室容積を画定するキャップ部材と、
リブ構造体の前記セットと前記キャップ部材との間に配置された補剛機構と、を備える電子デバイス。
【請求項１６】
前記電子デバイスが、アパーチャを有する側壁を更に備え、
リブ構造体の前記セットが、前記音声励振器が前記アパーチャから可聴音を放射するように、前記側壁と整列している、請求項１５に記載の電子デバイス。
【請求項１７】
前記音声励振器及び前記キャップ部材を受容するための複数のフランジ部材を更に備える、請求項１５に記載の電子デバイス。
【請求項１８】
前記補剛機構が音響発泡材を含む、請求項１５に記載の電子デバイス。
【請求項１９】
リブ構造体の前記セット、及び前記補剛機構が単一の単体の構造体によって画定される、請求項１５に記載の電子デバイス。
【請求項２０】
前記電子デバイスが、前記電子デバイスの背面を画定するエンクロージャ構成要素を更に備え、
リブ構造体の前記セット、前記補剛機構、及び前記エンクロージャ構成要素が単一のモノリシックな構成要素である、請求項１５に記載の電子デバイス。